【手続補正書】
【提出日】平成18年12月1日(2006.12.1)
【手続補正１】
【補正対象書類名】特許請求の範囲
【補正対象項目名】全文
【補正方法】変更
【補正の内容】
【特許請求の範囲】
【請求項１】
当該マルチメディアデータ処理装置内部の記憶装置、またはネットワークを介して他の装置より、スクリプトを含むテンプレートを取得するテンプレート取得手段と、
前記取得されたテンプレートから所望のテンプレートを選択する選択手段と、
前記選択されたテンプレートに含まれる前記スクリプトにしたがって、前記スクリプトから参照されるデータを再生するスクリプト実行手段と、
前記スクリプトから参照されるデータのうち、ユーザが変更可能な部分を判別するユーザ変更可能データ判別手段と、
前記変更可能な部分を変更するデータ変更手段と、
前記データの変更を確定するデータ変更確定手段と、
前記スクリプトと前記変更されたデータとの少なくとも一方を出力するスクリプト・データ出力手段とを備える、マルチメディアデータ処理装置。
【請求項２】
当該マルチメディアデータ処理装置内部の記憶装置、またはネットワークを介して他の装置より、スクリプトを含むテンプレートを取得するテンプレート取得手段と、
前記取得されたテンプレートから所望のテンプレートを選択する選択手段と、
前記選択されたテンプレートに含まれる前記スクリプトにしたがって、前記スクリプトから参照されるデータを再生するスクリプト実行手段と、
前記テンプレートに含まれるスクリプトにしたがって、当該マルチメディアデータ処理装置の機能を選択する機能選択手段と、
前記テンプレートに含まれるスクリプトにしたがって、前記選択された機能を用いて、前記スクリプトから参照されるデータに対してどのような処理を行なうかを決定するアクション決定手段と、
前記決定された処理を実行するアクション実行手段と、
前記スクリプトから参照されるデータを変更するデータ変更手段と、
前記データの変更を確定するデータ変更確定手段と、
前記スクリプトと前記変更されたデータとの少なくとも一方を出力するスクリプト・データ出力手段とを備える、マルチメディアデータ処理装置。
【請求項３】
前記テンプレートには、前記スクリプトから参照されるデータに対して実行するアクションを決定する時間制約が記載されており、前記アクション実行手段は、前記時間制約にしたがって前記決定された処理を行なう、請求項２に記載のマルチメディアデータ処理装置。
【請求項４】
前記アクション決定手段は、前記選択された機能を用いて、ネットワークを介してデータを取得し、前記取得したデータを用いて前記スクリプトから参照されるデータに対してどのような処理を行なうかを決定する、請求項２に記載のマルチメディアデータ処理装置。
【請求項５】
前記アクション実行手段において実行する前記決定された処理は、所定のＷＥＢページにアクセスする処理である、請求項２に記載のマルチメディアデータ処理装置。
【請求項６】
前記アクション実行手段において実行する前記決定された処理は、所定の電話番号へ発呼する処理である、請求項２に記載のマルチメディアデータ処理装置。
【請求項７】
前記アクション実行手段は、前記選択された機能を用いてデータを取得して、前記選択された機能の仕様と状態と前記テンプレートと前記選択された機能を用いて取得されたデータとのいずれかを含む環境情報に応じて、前記取得されたデータに変換処理を行なうことを特徴とし、
前記環境情報に応じた変換処理は、前記取得されたデータを所定の代替データに変更する処理である、請求項２に記載のマルチメディアデータ処理装置。
【請求項８】
前記アクション実行手段は、前記選択された機能を用いてデータを取得し、前記選択された機能の仕様と状態と前記テンプレートと前記選択された機能を用いて取得されたデータとのいずれかを含む環境情報に応じて、前記取得されたデータの使用の要否を判定する、請求項２に記載のマルチメディアデータ処理装置。
【請求項９】
前記アクション実行手段は、前記決定された処理を実行する直前に、ユーザインタフェースを介して、前記処理を行なうことを通知した後に前記処理を行なうことと、前記処理を行なうことに対する確認を受付けることと、前記処理を行なうか否かの選択を受付けることとのいずれか１つを実行する、請求項２に記載のマルチメディアデータ処理装置。
【請求項１０】
前記テンプレートにはメディアデータ再生状態の遷移情報が記載されており、前記スクリプト実行手段は、前記メディアデータ再生状態の遷移を管理する、請求項１〜９のいずれかに記載のマルチメディアデータ処理装置。
【請求項１１】
前記スクリプト実行手段は、前記テンプレートに記載された前記メディアデータ再生状態の遷移情報にしたがって、前記メディアデータ再生状態の遷移を、前記アクション決定手段が前記選択された機能を用いてイベントを取得したときに行なう、請求項１０に記載のマルチメディアデータ処理装置。
【請求項１２】
前記テンプレートにはメディアデータ再生状態の遷移情報が時間制約と共に記載されており、前記スクリプト実行手段は、前記メディアデータ再生状態の遷移を時間的に管理する、請求項１〜１１のいずれかに記載のマルチメディアデータ処理装置。
【請求項１３】
前記テンプレートにはメディアデータ再生状態の遷移情報が記載されており、
前記テンプレートに含まれるメディアデータのサムネイルを生成するサムネイル生成手段と、
前記生成したサムネイルを、前記遷移情報に基づいて表示するプレビュー手段とをさらに備える、請求項１〜１２のいずれかに記載のマルチメディアデータ処理装置。
【請求項１４】
前記スクリプトにしたがって、前記データの変更を制限する制限手段をさらに備える、請求項１〜１３のいずれかに記載のマルチメディアデータ処理装置。
【請求項１５】
前記スクリプトに記述されたシーケンスを管理するシーケンス管理手段と、
前記シーケンスに対応して変更可能なデータを示す変更可能データ提示手段とをさらに備える、請求項１〜１４のいずれかに記載のマルチメディアデータ処理装置。
【請求項１６】
前記スクリプト実行手段は、前記スクリプトから参照されるデータのうち、実行あるいは停止を行なうことのできる箇所を判断し選択するメディア上時刻選択手段をさらに備え、
前記スクリプト実行手段は、前記データのうちの前記選択された箇所を実行する際、前記箇所で一時停止する、請求項１〜１５のいずれかに記載のマルチメディアデータ処理装置。
【請求項１７】
前記データ変更の操作を行なった場合に、前記データのうちの変更された区間の先頭箇所または終了箇所を前記データの所定箇所に加える、請求項１〜１６のいずれかに記載のマルチメディアデータ処理装置。
【請求項１８】
スクリプトを含んで構成されるテンプレートの一覧を取得するテンプレート一覧取得手段と、
前記テンプレート一覧を表示するテンプレート一覧表示手段と、
前記表示されたテンプレートの一覧から所望の１つあるいは複数のテンプレートを選択するテンプレート選択手段と、
前記選択されたテンプレートを他装置へメッセージとして送付するメッセージ送付手段とを備える、マルチメディアデータ処理装置。
【請求項１９】
前記スクリプトは、再生されるデータへの参照情報と、前記データの再生方法と、前記データの再生端末において実行される機能を特定するアクション情報との少なくとも１つを含むことを特徴とする、請求項１８に記載のマルチメディアデータ処理装置。
【請求項２０】
前記アクション情報は、動画または静止画の撮像機能と、ユーザの入力するテキスト情報を取得する機能と、音声の録音機能と、位置情報を取得する機能と、データを取得する機能との少なくとも１つの機能を特定する、請求項１８または１９に記載のマルチメディアデータ処理装置。
【請求項２１】
スクリプトにしたがって前記スクリプトから参照されるデータを再生するスクリプト実行手段をさらに備える、請求項１８〜２０のいずれかに記載のマルチメディアデータ処理装置。
【請求項２２】
通信相手機器の機能を取得する通信相手機能取得手段をさらに備え、
前記テンプレート一覧取得手段は、前記取得された前記通信相手機器の機能に含まれる機能で実行可能なテンプレート一覧を取得する、請求項１８〜２１のいずれかに記載のマルチメディアデータ処理装置。
【請求項２３】
通信相手機器の機能を取得する通信相手機能取得手段をさらに備え、
前記テンプレート一覧表示手段は、前記取得された前記通信相手機器の機能に含まれる機能で実行可能なテンプレート一覧を表示する、請求項１８〜２１のいずれかに記載のマルチメディアデータ処理装置。
【請求項２４】
スクリプトを含んで構成されるテンプレートを取得するテンプレート取得手段と、
放送局より番組を取得する番組取得手段と、
インターネットを介して提供されるインターネットコンテンツを取得するコンテンツ取得手段と、
前記テンプレートに含まれるスクリプトにしたがって、前記スクリプトから参照されるデータと、前記番組取得手段で取得された番組と、前記コンテンツ取得手段で取得されたインターネットコンテンツとの少なくとも１つを再生するスクリプト実行手段とを備える、マルチメディアデータ処理装置。
【請求項２５】
前記テンプレートは番組表情報を含み、
前記番組表情報に基づいて１つ以上の番組またはインターネットコンテンツを選択する再生データ選択手段をさらに備え、
前記スクリプト実行手段は、前記選択された番組またはインターネットコンテンツを再生する、請求項２４に記載のマルチメディアデータ処理装置。
【請求項２６】
スクリプトを含んで構成されるテンプレートの処理をコンピュータに実行させるプログラムであって、
マルチメディアデータ処理装置内部の記憶装置、またはネットワークを介して他の装置より、前記テンプレートを取得するテンプレート取得ステップと、
前記取得されたテンプレートから所望のテンプレートを選択する選択ステップと、
前記選択されたテンプレートに含まれる前記スクリプトにしたがって、前記スクリプトから参照されるデータを再生するスクリプト実行ステップと、
前記スクリプトから参照されるデータのうち、ユーザが変更可能な部分を判別するユーザ変更可能データ判別ステップと、
前記変更可能な部分をマルチメディアデータ処理装置の機能を用いて変更するデータ変更ステップと、
前記データの変更を確定するデータ変更確定ステップと、
前記スクリプトと前記変更されたデータとの少なくとも一方を出力するスクリプト・データ出力ステップとを実行させる、マルチメディアデータ処理プログラム。
【請求項２７】
スクリプトを含んで構成されるテンプレートの処理をコンピュータに実行させるプログラムであって、
マルチメディアデータ処理装置内部の記憶装置、またはネットワークを介して他の装置より、前記テンプレートを取得するテンプレート取得ステップと、
前記取得されたテンプレートから所望のテンプレートを選択する選択ステップと、
前記選択されたテンプレートに含まれる前記スクリプトにしたがって、前記スクリプトから参照されるデータを再生するスクリプト実行ステップと、
前記テンプレートに含まれるスクリプトにしたがって、マルチメディアデータ処理装置の機能を選択する端末機能選択ステップと、
前記選択された機能を用いて、前記スクリプトから参照されるデータに対してどのような処理を行なうかを決定するアクション決定ステップと、
前記決定された処理を実行するアクション実行ステップと、
前記スクリプトから参照されるデータを変更するデータ変更ステップと、
前記データの変更を確定するデータ変更確定ステップと、
前記スクリプトと前記変更されたデータとの少なくとも一方を出力するスクリプト・データ出力ステップとを実行させる、マルチメディアデータ処理プログラム。
【請求項２８】
前記テンプレートには、前記スクリプトから参照されるデータに対して実行するアクションを決定する時間制約が記載されており、前記アクション実行ステップは、前記時間制約にしたがって前記決定された処理を行なう、請求項２７に記載のマルチメディアデータ処理プログラム。
【請求項２９】
前記テンプレートにはメディアデータ再生状態の遷移情報が記載されており、前記スクリプト実行ステップは、前記メディアデータ再生状態の遷移を管理する、請求項２６〜２８のいずれかに記載のマルチメディアデータ処理プログラム。
【請求項３０】
前記テンプレートにはメディアデータ再生状態の遷移情報が時間制約と共に記載されて
おり、前記スクリプト実行ステップは、前記メディアデータ再生状態の遷移を時間的に管理する、請求項２６〜２９のいずれかに記載のマルチメディアデータ処理プログラム。
【請求項３１】
前記テンプレートにはメディアデータ再生状態の遷移情報が記載されており、
前記テンプレートに含まれるメディアデータのサムネイルを生成するサムネイル生成ステップと、
前記生成したサムネイルを、前記遷移情報に基づいて表示するプレビューステップとをさらに実行させる、請求項２６〜３０のいずれかに記載のマルチメディアデータ処理プログラム。
【請求項３２】
前記スクリプトを含むテンプレートを取得するテンプレート取得ステップと、
前記取得されたテンプレートから所望のテンプレートを選択する選択ステップと、
前記データの変更を確定するデータ変更確定ステップとをさらに実行させる、請求項２６〜３１のいずれかに記載のマルチメディアデータ処理プログラム。
【請求項３３】
前記スクリプトにしたがって、前記データの変更を制限する制限ステップをさらに実行させる、請求項２６〜３２のいずれかに記載のマルチメディアデータ処理プログラム。
【請求項３４】
前記スクリプトに記述されたシーケンスを管理するシーケンス管理ステップと、
前記シーケンスに対応して変更可能なデータを提示する変更可能データ提示ステップとをさらに実行させる、請求項２６〜３３のいずれかに記載のマルチメディアデータ処理プログラム。
【請求項３５】
前記スクリプトに記述されたシーケンスを管理するシーケンス管理ステップと、
前記シーケンスに対応してデータ変更を行なうための操作ガイドを提示する操作ガイド提示ステップとをさらに実行させる、請求項２６〜３４のいずれかに記載のマルチメディアデータ処理プログラム。
【請求項３６】
前記スクリプト実行ステップは、前記スクリプトから参照されるデータのうち、実行あるいは停止を行なうことのできる箇所を判断し選択するメディア上時刻選択ステップをさらに実行し、
前記スクリプト実行ステップは、前記データのうちの前記選択された箇所を実行する際、前記箇所で一時停止する、請求項２６〜３５のいずれかに記載のマルチメディアデータ処理プログラム。
【請求項３７】
前記データ変更の操作を行なった場合に、前記データのうちの変更された区間の先頭箇所または終了箇所を前記データの所定箇所に加える、請求項２６〜３６のいずれかに記載のマルチメディアデータ処理プログラム。
【請求項３８】
メディアデータを再生する再生手段と、ユーザからの入力操作を受付ける入力手段とを含むデータ処理装置において処理されるマルチメディアコンテンツデータのデータ構造であって、
前記データ処理装置の再生手段で再生されるメディアデータを示す再生記述部と、
前記データ処理装置の入力手段において受付ける入力操作と前記入力操作に対応した処理とを示す入力操作記述部とを含み、
前記マルチメディアコンテンツデータが処理されることで、前記データ処理装置の再生手段で所定のメディアデータを再生させ、前記データ処理装置の入力手段で所定の入力操作を受付け、前記入力操作記述部に基づいて、前記データ処理装置に前記所定の入力操作に応じた処理を実行させる、マルチメディアコンテンツデータのデータ構造。
【請求項３９】
メディアデータを再生する再生手段と、ユーザからの入力操作を受付ける入力手段とを含むデータ処理装置において処理されるマルチメディアコンテンツデータのデータ構造であって、
前記データ処理装置の再生手段で再生されるメディアデータを示す再生記述部と、
前記データ処理装置の入力手段において受付ける入力操作と前記入力操作に対応した処理とを示す入力操作記述部と、
前記データ処理装置の再生手段において再生されるメディアデータの有効時間と、前記入力手段において受付ける入力操作の有効時間とを管理するスケジュール記述部とを含み、
前記マルチメディアコンテンツデータが処理されることで、前記スケジュール記述部に基づいて、所定の時間に前記データ処理装置の再生手段で所定のメディアデータを再生させ、前記所定の時間に前記データ処理装置の入力手段で所定の入力操作を受付け、前記入力操作記述部に基づいて、前記データ処理装置に、前記所定の時間に前記所定の入力操作に応じた処理を実行させる、マルチメディアコンテンツデータのデータ構造。
【請求項４０】
前記データ処理装置の入力手段において受付ける入力操作に対応した処理は、前記マルチメディアコンテンツデータに変更を加える処理である、請求項３８または３９に記載のマルチメディアコンテンツデータのデータ構造。
【請求項４１】
前記マルチメディアコンテンツデータはスクリプト言語で記述されたデータである、請求項３８〜４０のいずれかに記載のマルチメディアコンテンツデータのデータ構造。
【手続補正２】
【補正対象書類名】明細書
【補正対象項目名】００１３
【補正方法】変更
【補正の内容】
【００１３】
上記目的を達成するために、本発明のある局面に従うと、マルチメディアデータ処理装置は、当該マルチメディアデータ処理装置内部の記憶装置、またはネットワークを介して他の装置より、スクリプトを含むテンプレートを取得するテンプレート取得手段と、取得されたテンプレートから所望のテンプレートを選択する選択手段と、選択されたテンプレートに含まれるスクリプトにしたがって、スクリプトから参照されるデータを再生するスクリプト実行手段と、スクリプトから参照されるデータのうち、ユーザが変更可能な部分を判別するユーザ変更可能データ判別手段と、変更可能な部分を変更するデータ変更手段と、データの変更を確定するデータ変更確定手段と、スクリプトと変更されたデータとの少なくとも一方を出力するスクリプト・データ出力手段とを備える。
【手続補正３】
【補正対象書類名】明細書
【補正対象項目名】００１４
【補正方法】変更
【補正の内容】
【００１４】
本発明の他の局面に従うと、マルチメディアデータ処理装置は、当該マルチメディアデータ処理装置内部の記憶装置、またはネットワークを介して他の装置より、スクリプトを含むテンプレートを取得するテンプレート取得手段と、取得されたテンプレートから所望のテンプレートを選択する選択手段と、選択されたテンプレートに含まれるスクリプトにしたがって、スクリプトから参照されるデータを再生するスクリプト実行手段と、テンプレートに含まれるスクリプトにしたがって、当該マルチメディアデータ処理装置の機能を選択する機能選択手段と、テンプレートに含まれるスクリプトにしたがって、選択された機能を用いて、スクリプトから参照されるデータに対してどのような処理を行なうかを決定するアクション決定手段と、決定された処理を実行するアクション実行手段と、スクリプトから参照されるデータを変更するデータ変更手段と、データの変更を確定するデータ変更確定手段と、スクリプトと変更されたデータとの少なくとも一方を出力するスクリプト・データ出力手段とを備える。
【手続補正４】
【補正対象書類名】明細書
【補正対象項目名】００５６
【補正方法】変更
【補正の内容】
【００５６】
本発明のさらに他の局面に従うと、マルチメディアデータ処理プログラムは、スクリプトを含んで構成されるテンプレートの処理をコンピュータに実行させるプログラムであって、マルチメディアデータ処理装置内部の記憶装置、またはネットワークを介して他の装置より、テンプレートを取得するテンプレート取得ステップと、取得されたテンプレートから所望のテンプレートを選択する選択ステップと、選択されたテンプレートに含まれるスクリプトにしたがって、スクリプトから参照されるデータを再生するスクリプト実行ステップと、スクリプトから参照されるデータのうち、ユーザが変更可能な部分を判別するユーザ変更可能データ判別ステップと、変更可能な部分をマルチメディアデータ処理装置の機能を用いて変更するデータ変更ステップと、データの変更を確定するデータ変更確定ステップと、スクリプトと変更されたデータとの少なくとも一方を出力するスクリプト・データ出力ステップとを実行させる。
【手続補正５】
【補正対象書類名】明細書
【補正対象項目名】００５７
【補正方法】変更
【補正の内容】
【００５７】
本発明のさらに他の局面に従うと、マルチメディアデータ処理プログラムは、マルチメディアデータ処理装置内部の記憶装置、またはネットワークを介して他の装置より、テンプレートを取得するテンプレート取得ステップと、取得されたテンプレートから所望のテンプレートを選択する選択ステップと、選択されたスクリプトを含んで構成されるテンプレートの処理をコンピュータに実行させるプログラムであって、テンプレートに含まれるスクリプトにしたがって、スクリプトから参照されるデータを再生するスクリプト実行ステップと、テンプレートに含まれるスクリプトにしたがって、マルチメディアデータ処理装置の機能を選択する端末機能選択ステップと、選択された機能を用いて、スクリプトから参照されるデータに対してどのような処理を行なうかを決定するアクション決定ステップと、決定された処理を実行するアクション実行ステップと、スクリプトから参照されるデータを変更するデータ変更ステップと、データの変更を確定するデータ変更確定ステップと、スクリプトと変更されたデータとの少なくとも一方を出力するスクリプト・データ出力ステップとを実行させる。